(57)【要約】立寄り場所情報提供装置は、起点場所情報及び目的場所情報を含む逸脱経路関連情報を保持する逸脱経路関連情報を保持し、立寄り場所情報要求受付手段は、要求元装置から要求元の場所情報を取得すると共に、立寄り場所情報の提供要求を受け付ける。立寄り場所情報要求受付手段が、立寄り場所情報要求を受け付けると、逸脱経路関連情報取得手段が、要求元場所情報に合致する起点場所情報を有する逸脱経路関連情報を取得し、立寄り場所情報生成手段が、当該逸脱経路関連情報を用いて、立寄り場所情報を生成する。そして、立寄り場所情報提供手段は、所定のネットワーク等を介して要求元装置に対して、立寄り場所情報を提供する。
2009060538.tif 000002
【特許請求の範囲】
【請求項１】
同一利用者の経路情報の内、所定の経路通過条件に応じて定義された逸脱経路に関する情報であり、起点場所情報及び目的場所情報を含む逸脱経路関連情報を保持する逸脱経路関連情報保持手段と、
所定の要求元装置から要求元場所情報を取得すると共に、立寄り場所情報要求を受け付ける立寄り場所情報要求受付手段と、
前記要求元場所情報に合致する起点場所情報を有する逸脱経路関連情報を取得する逸脱経路関連情報取得手段と、
前記逸脱経路関連情報取得手段が取得した逸脱経路関連情報を用いて立寄り場所情報を生成する立寄り場所情報生成手段と、
前記立寄り場所情報を提供する立寄り場所情報提供手段と、
を備えることを特徴とする立寄り場所情報提供装置。
【請求項２】
前記逸脱経路関連情報は、利用者情報を含み、
前記立寄り場所情報要求受付手段は、前記要求元装置から要求元の利用者情報も取得し、
逸脱経路関連情報取得手段は、前記要求元の利用者情報を含む逸脱経路関連情報を取得対象から除外することを特徴とする請求項１に記載の立寄り場所情報提供装置。
【請求項３】
所定の時刻に対応する天気情報を取得する天気情報取得手段をさらに備え、
前記逸脱経路関連情報は、天気情報を含み、
前記立寄り場所情報要求受付手段は、所定の時刻情報を取得し、
前記逸脱経路関連情報取得手段は、前記立寄り場所情報要求手段が取得した時刻に対応する天気情報に合致しない逸脱経路関連情報を取得対象から除外することを特徴とする請求項１又は２に記載の立寄り場所情報提供装置。
【請求項４】
滞在場所情報を含む履歴情報を生成する履歴情報生成手段と、
前記履歴情報から経路情報を生成する経路情報生成手段と、
前記経路情報から前記逸脱経路を特定する逸脱経路特定手段と、
前記逸脱経路特定手段が特定した逸脱経路の逸脱経路関連情報を生成し、前記逸脱経路関連情報を登録する逸脱経路関連情報登録手段と、をさらに備え、
前記逸脱経路関連情報保持手段は、前記逸脱経路関連情報登録手段が登録した前記逸脱経路関連情報を保持することを特徴とする請求項１乃至３のいずれか一項に記載の立寄り場所情報提供装置。
【請求項５】
同一利用者の経路情報の内、所定の経路通過条件に応じて定義された逸脱経路に関する情報であり、起点場所情報及び目的場所情報を含む逸脱経路関連情報を保持する逸脱経路関連情報保持工程と、
所定の要求元装置から要求元場所情報を取得すると共に、立寄り場所情報要求を受け付ける立寄り場所情報要求受付工程と、
前記要求元場所情報に合致する起点場所情報を有する逸脱経路関連情報を取得する逸脱経路関連情報取得工程と、
前記逸脱経路関連情報取得工程で取得した逸脱経路関連情報を用いて立寄り場所情報を生成する立寄り場所情報生成工程と、
前記立寄り場所情報を提供する立寄り場所情報提供工程と、
を備えることを特徴とする立寄り場所情報提供方法。
【請求項６】
コンピュータを備える装置によって実行される立寄り場所情報提供プログラムであって、
同一利用者の経路情報の内、所定の経路通過条件に応じて定義された逸脱経路に関する情報であり、起点場所情報及び目的場所情報を含む逸脱経路関連情報を保持する逸脱経路関連情報保持手段と、
所定の要求元装置から要求元場所情報を取得すると共に、立寄り場所情報要求を受け付ける立寄り場所情報要求受付手段と、
前記要求元場所情報に合致する起点場所情報を有する逸脱経路関連情報を取得する逸脱経路関連情報取得手段と、
前記逸脱経路関連情報取得手段が取得した逸脱経路関連情報を用いて立寄り場所情報を生成する立寄り場所情報生成手段と、
前記立寄り場所情報を提供する立寄り場所情報提供手段、として前記コンピュータを機能させることを特徴とする立寄り場所情報提供プログラム。
【請求項７】
請求項６に記載の立寄り場所情報提供プログラムを記憶したことを特徴とする記憶媒体。
【発明の詳細な説明】
【技術分野】
【０００１】
本発明は、移動履歴情報を用いて立寄り場所情報を提供する手法に関する。
【背景技術】
【０００２】
従来では、位置情報を通知する装置に対して、当該位置周辺の各種施設情報を提供する装置がある。例えば、特許文献１に記載の顧客位置管理センターサーバでは、位置情報を通知する携帯機器に対して、目的地に近づいたことを検知すると、目的地周辺の商店情報を提供する。【０００３】
【特許文献１】特開２００５−１０７８２７号公報
【発明の開示】
【発明が解決しようとする課題】
【０００４】
しかし、上記の顧客位置管理センターサーバは、携帯機器の位置のみに基づいて、情報を発信しているので、携帯機器の利用者にとって、有益でない情報を提供してしまう可能性があるという問題点があった。【０００５】
本発明が解決しようとする課題としては、上記のようなものが例として挙げられる。本発明は、位置情報検索の結果に比して、有用性のある立寄り場所情報を提供することを課題とする。
【課題を解決するための手段】
【０００６】
請求項１に記載の発明では、立寄り場所情報提供装置であって、同一利用者の経路情報の内、所定の経路通過条件に応じて定義された逸脱経路に関する情報であり、起点場所情報及び目的場所情報を含む逸脱経路関連情報を保持する逸脱経路関連情報保持手段と、所定の要求元装置から要求元場所情報を取得すると共に、立寄り場所情報要求を受け付ける立寄り場所情報要求受付手段と、前記要求元場所情報に合致する起点場所情報を有する逸脱経路関連情報を取得する逸脱経路関連情報取得手段と、前記逸脱経路関連情報取得手段が取得した逸脱経路関連情報を用いて立寄り場所情報を生成する立寄り場所情報生成手段と、前記立寄り場所情報を提供する立寄り場所情報提供手段と、を備えることを特徴とする。【０００７】
請求項５に記載の発明では、立寄り場所情報提供方法であって、同一利用者の経路情報の内、所定の経路通過条件に応じて定義された逸脱経路に関する情報であり、起点場所情報及び目的場所情報を含む逸脱経路関連情報を保持する逸脱経路関連情報保持工程と、所定の要求元装置から要求元場所情報を取得すると共に、立寄り場所情報要求を受け付ける立寄り場所情報要求受付工程と、前記要求元場所情報に合致する起点場所情報を有する逸脱経路関連情報を取得する逸脱経路関連情報取得工程と、前記逸脱経路関連情報取得工程で取得した逸脱経路関連情報を用いて立寄り場所情報を生成する立寄り場所情報生成工程と、前記立寄り場所情報を提供する立寄り場所情報提供工程と、を備えることを特徴とする。【０００８】
請求項６に記載の発明では、コンピュータを備える装置によって実行される立寄り場所情報提供プログラムであって、同一利用者の経路情報の内、所定の経路通過条件に応じて定義された逸脱経路に関する情報であり、起点場所情報及び目的場所情報を含む逸脱経路関連情報を保持する逸脱経路関連情報保持手段と、所定の要求元装置から要求元場所情報を取得すると共に、立寄り場所情報要求を受け付ける立寄り場所情報要求受付手段と、前記要求元場所情報に合致する起点場所情報を有する逸脱経路関連情報を取得する逸脱経路関連情報取得手段と、前記逸脱経路関連情報取得手段が取得した逸脱経路関連情報を用いて立寄り場所情報を生成する立寄り場所情報生成手段と、前記立寄り場所情報を提供する立寄り場所情報提供手段、として前記コンピュータを機能させることを特徴とする。
【図面の簡単な説明】
【０００９】
【図１】情報提供システムの概略構成を示す図である。
【図２】立寄り場所情報提供サーバの概略構成を示すブロック図である。
【図３】各種データ構造（１）の概念図である。
【図４】各種データ構造（２）の概念図である。
【図５】滞在情報特定の例を示す図である。
【図６】滞在エリア履歴情報生成処理のフローチャートである。
【図７】経路情報の概念図である。
【図８】経路情報を特定する方法を示す図である。
【図９】逸脱経路関連情報登録処理のフローチャートである。
【図１０】逸脱経路関連情報の一覧の例を示す図である。
【図１１】立寄り場所情報提供処理のフローチャートである。
【図１２】従来の立寄り場所情報の適用範囲と本願発明の立寄り場所情報の適用範囲の比較を示す図である。
【符号の説明】
【００１０】
３００  現在位置情報提供装置
３４０  現在地情報ＤＢ
３５０  地物情報ＤＢ
３８０  逸脱経路関連情報ＤＢ
４００  立寄り場所情報提供サーバ
４１１  現在地情報取得部
４１２  滞在情報特定部
４１３  移動方法特定部
４１４  滞在施設特定部
４１５  滞在エリア履歴情報生成部
４１６  経路情報生成部
４１７  経路種別判別部
４１８  天気情報取得部
４１９  逸脱経路関連情報登録部
４２０  立寄り場所情報提供要求受信部
４２１  逸脱経路関連情報検索部
４２２  立寄り場所情報生成部
４２３  立寄り場所情報提供部
【発明を実施するための最良の形態】
【００１１】
本発明の１つの観点では、立寄り場所情報提供装置であって、同一利用者の経路情報の内、所定の経路通過条件に応じて定義された逸脱経路に関する情報であり、起点場所情報及び目的場所情報を含む逸脱経路関連情報を保持する逸脱経路関連情報保持手段と、所定の要求元装置から要求元場所情報を取得すると共に、立寄り場所情報要求を受け付ける立寄り場所情報要求受付手段と、前記要求元場所情報に合致する起点場所情報を有する逸脱経路関連情報を取得する逸脱経路関連情報取得手段と、前記逸脱経路関連情報取得手段が取得した逸脱経路関連情報を用いて立寄り場所情報を生成する立寄り場所情報生成手段と、前記立寄り場所情報を提供する立寄り場所情報提供手段と、を備える。【００１２】
上記の立寄り場所情報提供装置は、具体的には、サーバ装置として構成することができる。立寄り場所情報提供装置は、同一利用者の経路情報の内、所定の経路通過条件に応じて定義された逸脱経路に関する情報であり、起点場所情報及び目的場所情報を含む逸脱経路関連情報を保持する逸脱経路関連情報を保持する。立寄り場所情報要求受付手段は、要求元装置から要求元の場所情報を取得すると共に、立寄り場所情報の提供要求を受け付ける。ここで、立寄り場所情報とは、要求元装置の利用者が立寄る利益があると推定される場所に関する情報（住所情報や、周辺地図情報）である。立寄り場所情報要求受付手段が、立寄り場所情報要求を受け付けると、逸脱経路関連情報取得手段が、要求元場所情報に合致する起点場所情報を有する逸脱経路関連情報を取得し、立寄り場所情報生成手段が、当該逸脱経路関連情報を用いて、立寄り場所情報を生成する。具体例として、立寄り場所情報生成手段は、逸脱経路関連情報取得手段が取得した逸脱経路関連情報の目的場所情報に関する情報を立寄り場所情報として生成する。そして、立寄り場所情報提供手段は、所定のネットワーク等を介して要求元装置に対して、立寄り場所情報を提供する。【００１３】
このように、立寄り場所情報提供装置は、要求元場所情報に合致する起点場所情報を有する逸脱経路関連情報に基づいて、立寄り場所情報を生成している。即ち、立寄り場所情報提供装置は、経路情報の履歴に基づいて、立寄り場所情報を生成することになる。従って、立寄り場所情報提供装置は、位置情報検索に基づいて生成した立寄り場所情報を提供する場合に比して、有用な立寄り場所情報を提供することができる。【００１４】
上記の立寄り場所情報提供装置の一態様では、前記逸脱経路関連情報は、利用者情報を含み、前記立寄り場所情報要求受付手段は、前記要求元装置から要求元の利用者情報も取得し、逸脱経路関連情報取得手段は、前記要求元の利用者情報を含む逸脱経路関連情報を取得対象から除外する。【００１５】
この場合、立寄り場所情報提供装置は、利用者情報を逸脱経路関連情報に含み、要求元の装置の利用者が、既に行ったことがある場所の情報を立寄り場所情報から排除する。従って、立寄り場所情報提供装置は、要求元の装置に対して、不要な情報を提供する可能性を軽減することができる。【００１６】
上記の立寄り場所情報提供装置の他の一態様では、所定の時刻に対応する天気情報を取得する天気情報取得手段をさらに備え、前記逸脱経路関連情報は、天気情報を含み、前記立寄り場所情報要求受付手段は、所定の時刻情報を取得し、前記逸脱経路関連情報取得手段は、前記立寄り場所情報要求手段が取得した時刻に対応する天気情報に合致しない逸脱経路関連情報を取得対象から除外する。この場合、立寄り場所情報提供装置は、天気情報を保持しているので、要求元装置が立寄り場所情報の要求をした時点の天気に合致しない立寄り場所情報を提供対象から排除することができる。従って、立寄り場所情報提供装置は、要求元の装置に対して不要な情報を提供する可能性を軽減することができる。【００１７】
上記の立寄り場所情報提供装置の他の一態様では、滞在場所情報を含む履歴情報を生成する履歴情報生成手段と、前記履歴情報から経路情報を生成する経路情報生成手段と、前記経路情報から前記逸脱経路を特定する逸脱経路特定手段と、前記逸脱経路特定手段が特定した逸脱経路の逸脱経路関連情報を生成し、前記逸脱経路関連情報を登録する逸脱経路関連情報登録手段と、をさらに備え、前記逸脱経路関連情報保持手段は、前記逸脱経路関連情報登録手段が登録した前記逸脱経路関連情報を保持する。この場合、立寄り場所情報提供装置は、自動で逸脱経路関連情報を生成し、当該逸脱経路関連情報を用いて立寄り場所情報を生成することができる。【００１８】
本発明の他の観点では、立寄り場所情報登録方法は、同一利用者の経路情報の内、所定の経路通過条件に応じて定義された逸脱経路に関する情報であり、起点場所情報及び目的場所情報を含む逸脱経路関連情報を保持する逸脱経路関連情報保持工程と、所定の要求元装置から要求元場所情報を取得すると共に、立寄り場所情報要求を受け付ける立寄り場所情報要求受付工程と、前記要求元場所情報に合致する起点場所情報を有する逸脱経路関連情報を取得する逸脱経路関連情報取得工程と、前記逸脱経路関連情報取得工程で取得した逸脱経路関連情報を用いて立寄り場所情報を生成する立寄り場所情報生成工程と、前記立寄り場所情報を提供する立寄り場所情報提供工程と、を備える。【００１９】
この方法によっても、経路情報の履歴である、要求元場所情報に合致する起点場所情報を有する逸脱経路関連情報に基づいて、立寄り場所情報を生成しているので、位置情報検索に基づいて生成した立寄り場所情報を提供する場合に比して、有用な立寄り場所情報を提供することができる。【００２０】
本発明のさらに他の観点では、コンピュータを備える装置によって実行される立寄り場所情報提供プログラムであって、同一利用者の経路情報の内、所定の経路通過条件に応じて定義された逸脱経路に関する情報であり、起点場所情報及び目的場所情報を含む逸脱経路関連情報を保持する逸脱経路関連情報保持手段と、所定の要求元装置から要求元場所情報を取得すると共に、立寄り場所情報要求を受け付ける立寄り場所情報要求受付手段と、前記要求元場所情報に合致する起点場所情報を有する逸脱経路関連情報を取得する逸脱経路関連情報取得手段と、前記逸脱経路関連情報取得手段が取得した逸脱経路関連情報を用いて立寄り場所情報を生成する立寄り場所情報生成手段と、前記立寄り場所情報を提供する立寄り場所情報提供手段、として前記コンピュータを機能させる。【００２１】
このプログラムを、各種装置上で実行することにより、本発明の立寄り場所情報提供装置を実現することができる。なお、この立寄り場所情報提供プログラムは、記録媒体に記録した状態で好適に取り扱うことができる。
【実施例】
【００２２】
以下、図面を参照して本発明の好適な実施例について説明する。【００２３】
［情報提供システムの概略構成］
図１に、情報提供システム１の概念図を示す。本実施例では、情報提供システム１は、現在位置情報提供装置３００と、立寄り場所情報提供サーバ４００と、情報提供要求装置５００とから構成される。そして、現在位置情報提供装置３００と立寄り場所情報提供サーバ４００とが、所定のネットワークで接続されており、立寄り場所情報提供サーバ４００と、情報提供要求装置５００とが、同様に所定のネットワークで接続されている。【００２４】
現在位置情報提供装置３００は、具体的には、ＧＰＳ（Ｇｌｏｂａｌ  Ｐｏｓｉｔｉｏｎｉｎｇ  Ｓｙｓｔｅｍ）受信機を有する携帯電話装置である。現在位置情報提供装置３００は、現在地情報８００を立寄り場所情報提供サーバ４００へ適宜送信したり、一括で送信したりする。ここで、現在地情報８００は、ＧＰＳ受信機を介して取得した位置情報７１２と、当該位置情報７１２を取得した時点の時刻情報７１１（日時情報）と、現在位置情報提供装置３００を識別するための利用者ＩＤ７１０とを含む情報である。なお、現在位置情報提供装置３００は、現在位置情報提供装置３００内の記憶装置で保持しているパラメータファイルで定義されている測位間隔及び送信間隔に応じて、位置情報７１２の取得及び現在地情報８００の送信を行なう。【００２５】
立寄り場所情報提供サーバ４００は、サーバ装置であり、現在位置情報提供装置３００から取得した現在地情報８００に基づいて、現在位置情報提供装置３００が滞在した期間と施設とを特定し、特定した情報を滞在エリア履歴情報３７５として生成する。そして、立寄り場所情報提供サーバ４００は、上記滞在エリア履歴情報３７５を用いて、一連の経路を特定して、当該経路に基づいて、立寄り場所情報７５４を提供するための情報である、立寄り場所情報７５４を生成し、当該立寄り場所情報７５４を提供する。なお、立寄り場所情報提供サーバ４００の詳細については、後述する。【００２６】
情報提供要求装置５００は、具体的には、パーソナルコンピュータや、車両用ナビゲーション装置である。情報提供要求装置５００が、立寄り場所情報提供サーバ４００へ所定の情報を送信すると共に、立寄り場所に関する情報提供要求を行なうと、立寄り場所情報提供サーバ４００は、立寄り場所情報７５４を生成し、当該立寄り場所情報７５４を送信する。ここで、立寄り場所情報７５４とは、所定の位置に対応する立寄り場所に関する情報である。【００２７】
なお、立寄り場所情報提供サーバ４００は、滞在エリア履歴情報３７５から経路情報を生成した後に、経路の通過回数に応じて、経路の種別を特定しており、具体的には、通過回数が所定数以上の場合、定常経路とし、定常経路以外の経路を逸脱経路としている。このように、立寄り場所情報提供サーバ４００は、経路の特質に着目し、処理を行っている。経路種別の特定方法の詳細については、後述する。【００２８】
［立寄り場所情報提供サーバ］
図２に立寄り場所情報提供サーバ４００の機能構成を示す。立寄り場所情報提供サーバ４００は、実体的には、サーバ装置である。立寄り場所情報提供サーバ４００は、図示のように、制御部４０１と、送受信部４０２と、入力部４０３と、記憶部４０４と、を備える。記憶部４０４は、現在地情報ＤＢ３４０と、地物情報ＤＢ３５０と、道路ネットワークＤＢ３６０と、逸脱経路関連情報ＤＢ３８０と、逸脱経路統計情報ＤＢ３９５とを備える。制御部４０１は、具体的には、ＣＰＵ（Ｃｅｎｔｒａｌ  Ｐｒｏｃｅｓｓｉｎｇ  Ｕｎｉｔ）等であり、立寄り場所情報提供サーバ４００全体を統括制御する。そして制御部４０１は、現在地情報取得部４１１と、滞在情報特定部４１２と、移動方法特定部４１３と、滞在施設特定部４１４と、滞在エリア履歴情報生成部４１５と、経路情報生成部４１６と、経路種別判別部４１７と、天気情報取得部４１８と、逸脱経路関連情報登録部４１９と、立寄り場所情報提供要求受信部４２０と、逸脱経路関連情報検索部４２１と、立寄り場所情報生成部４２２と、立寄り場所情報提供部４２３とを備える。即ち、制御部４０１が所定のプログラムを実行することにより、現在地情報取得部４１１と、滞在情報特定部４１２と、移動方法特定部４１３と、滞在施設特定部４１４と、滞在エリア履歴情報生成部４１５と、経路情報生成部４１６と、経路種別判別部４１７と、天気情報取得部４１８と、逸脱経路関連情報登録部４１９と、立寄り場所情報提供要求受信部４２０と、逸脱経路関連情報検索部４２１と、立寄り場所情報生成部４２２と、立寄り場所情報提供部４２３とを実現する。【００２９】
送受信部４０２は、現在地情報８００や立寄り場所情報７５４等、各種情報の送受信を行う。具体的には、送受信部４０２はネットワークインタフェースである。入力部４０３は、各種コマンドやデータを入力するための、キーボード、マウス等から構成されている。記憶部４０４は、現在地情報ＤＢ３４０と、地物情報ＤＢ３５０と、道路ネットワークＤＢ３６０と、逸脱経路関連情報ＤＢ３８０と、逸脱経路統計情報ＤＢ３９５とを保持する。具体的には、記憶部４０４はハードディスク等である。ここで、現在地情報ＤＢ３４０は、現在地情報８００を格納するデータベースである。地物情報ＤＢ３５０は、施設位置や施設位置や施設名称が関連付けられている地物情報３５７を保持するデータベースである。地物情報ＤＢ３５０の例を図３（ａ）に示す。図示のように、地物情報ＤＢ３５０が管理する地物情報３５７は、施設の位置情報を示す施設位置３５１、施設名称を示す施設名称３５２、施設の営業時間を示す営業時間３５３、施設に滞在する標準時間を示す施設滞在標準時間３５４、カテゴリ名３５５、及びレコメンド条件情報３５６を有する。【００３０】
道路ネットワークＤＢ３６０は、道路情報３６５を保持するデータベースである。道路ネットワークＤＢ３６０の例を図３（ｂ）に示す。道路情報３６５は、道路の位置範囲を示す位置範囲３６１と、道路名称を示す道路名３６２とを有する。【００３１】
逸脱経路情報ＤＢ３８０は、逸脱経路関連情報３９０を保持するデータベースである。逸脱経路関連情報３９０のデータ構造を図４（ａ）に示す。逸脱経路関連情報３９０は、利用者の識別子である利用者ＩＤ３８１と、現在位置情報提供装置３００が逸脱経路を通過した日時を示す日時３８２と、現在位置情報提供装置３００が逸脱経路を通過した曜日を示す曜日３８３と、現在位置情報提供装置３００が逸脱経路を通過した時の天気を示す天気３８４と、定常経路から逸脱した場所である逸脱経路の起点場所を示す起点場所３８５と、目的場所（例えば、逸脱経路の折り返し場所）のカテゴリを示すカテゴリ３８６と、現在位置情報提供装置３００が逸脱経路を通過した時の移動方法を示す移動方法３８７と、起点場所から目的場所までの距離を示す距離３８８と、目的場所を示す目的場所３８９とを有する情報である。また、逸脱経路関連情報３９０の具体的な内容の例を図４（ｂ）に示す。【００３２】
逸脱経路詳細情報ＤＢ３９５は、逸脱経路の目的地に関する統計情報を管理するデータベースである。具体的には、目的場所（例えば、目的場所の位置情報等）と、図４（ｃ)に示すような統計情報とを関連付けた情報を保持する。【００３３】
現在地情報取得部４１１は、現在位置情報提供装置３００から現在地情報８００を取得する。なお、現在地情報取得部４１１は、上記現在地情報８００を現在地情報ＤＢ３４０へ保存しておく。【００３４】
滞在情報特定部４１２は、現在地情報取得部４１１が取得した現在地情報８００を用いて、現在位置情報提供装置３００の滞在情報を特定する。ここで、滞在情報とは、滞在位置７２０と滞在期間７３０とを含む情報である。具体的には、滞在情報特定部４１２は、取得した現在地情報８００について、利用者ＩＤ７１０単位で、時刻情報順に並べた結果、現在位置情報提供装置３００が所定期間（例えば、１時間等）同一位置にあると判断できる場合、現在位置情報提供装置３００が上記期間中、当該位置に滞在していたものとする。【００３５】
図５（ａ）に現在地情報８００を利用者ＩＤ７１０単位で、時刻情報順に並べた例を示す。この場合、滞在情報特定部４１２は、利用者ＩＤ７１０が「Ａ００１」に対応する現在位置情報提供装置３００が、「２００７年７月１０日１５時００分〜２００７年７月１０日１５時３０分」の間に、「Ｘ１、Ｙ１」の位置に滞在していたと判定する。従って、滞在情報特定部４１２は、滞在位置７２０を「Ｘ１、Ｙ１」とし、滞在期間７３０を「２００７年７月１０日１５時００分〜２００７年７月１０日１５時３０分」とする。【００３６】
また、滞在情報特定部４１２は、現在位置情報提供装置３００が所定期間、ある範囲内に位置している（以下、このことを回遊しているとも呼ぶ）場合、上記期間に当該範囲内に滞在していたと判定する。【００３７】
図５（ｂ）に、回遊状態の例を示す。図５（ｂ）に示すように、所定期間内における、現在地情報８００の位置情報７１２がエリア７０１に含まれている場合、滞在情報特定部４１２は、上記期間を滞在期間７３０とし、現在位置情報提供装置３００の滞在位置７２０を上記エリア７０１内の所定位置とする。【００３８】
移動方法特定部４１３は、滞在位置間の移動方法を特定する。具体的に、移動方法特定部４１３は、滞在位置間の現在地情報８００の時刻情報７１１を用いて、滞在位置間の速度を算出し、当該速度に基づいて滞在位置間の移動方法を特定する。例えば、滞在位置間の速度が時速７０Ｋｍの場合、移動方法特定部４１３は、現在位置情報提供装置３００の利用者が電車で移動したと判断する。【００３９】
滞在施設特定部４１４は、上記滞在情報特定部４１２が特定した滞在位置７２０を用いて滞在施設を特定する。具体的には、滞在施設特定部４１４は、地物情報ＤＢ３５０を検索し、滞在位置７２０が地物情報ＤＢ３５０内の地物情報３５７における施設位置３５１の所定範囲内である場合、当該施設位置３５１に対応する施設に滞在していたと判断する。なお、滞在施設特定部４１４は、滞在位置７２０が、施設位置３５１の所定範囲内である場合でも、「滞在期間７３０が営業時間３５３内ではない」場合や「滞在期間７３０に基づいて算出した滞在時間が、施設滞在標準時間３５４と大きく異なる」場合については、施設位置３５１に対応する施設に滞在していたとは判断しない。そして、滞在施設特定部４１４は、「滞在期間７３０が営業時間３５３内ではない」場合等により、施設位置３５１に対応する施設に滞在していたとは判断しない場合、施設位置３５１の所定範囲内に滞在位置７２０を含む検索済み以外の地物情報３５７を再検索する。そして、滞在期間７３０が再検索した地物情報３５７の営業時間３５３内であり、且つ滞在期間７３０に基づいて算出した滞在時間が、施設滞在標準時間３５４と大きく異ならない場合、再検索した地物情報３５７に対応する施設に滞在していたと判断する。【００４０】
滞在エリア履歴情報生成部４１５は、上記滞在施設特定部４１４が特定した施設及び、滞在時間等の情報を含む滞在エリア履歴情報３７５を生成する。ここで、滞在エリア履歴情報のデータ構造を図３（ｃ）に示す。滞在エリア履歴情報３７５は、現在位置情報提供装置３００を利用する利用者ＩＤを示す利用者ＩＤ３７１と、施設に滞在した期間を示す滞在期間３７２と、滞在場所を示す滞在場所３７３とを有する。【００４１】
経路情報生成部４１６は、上記滞在履歴情報３７５を用いて、経路情報３７７を生成する。ここで、経路情報３７７とは、所定の出発位置から複数の場所を経由して、上記出発位置へ戻ってくるまでの経路情報である。経路情報には、滞在場所と、当該滞在場所の滞在期間が含まれる。具体的に経路情報３７７を生成する方法については、後述する。【００４２】
経路種別判別部４１７は、経路情報生成部４１６が生成した経路情報３７７の経路種別を判別する。具体的に経路種別を判別する方法については、後述する。【００４３】
天気情報取得部４１８は、送受信部４０２を介して天気情報を保有する装置から天気情報を取得する。逸脱経路関連情報登録部４１９は、経路種別判別部４１７が逸脱経路であると判別した経路に関する情報である逸脱経路関連情報３９０を生成し、当該逸脱経路関連情報３９０を逸脱経路情報ＤＢ３８０へ登録する。【００４４】
立寄り場所情報提供要求受信部４２０は、情報提供要求装置５００から、所定の位置情報を取得すると共に立寄り場所情報提供要求を受信する。逸脱経路関連情報検索部４２１は、逸脱経路関連情報ＤＢ３８０から逸脱経路関連情報３９０を検索する。立寄り場所情報生成部４２２は、上記逸脱経路関連情報検索部４２１が検索した逸脱経路関連情報３９０を用いて立寄り場所情報７５４を生成する。【００４５】
立寄り場所情報提供部４２３は、立寄り場所情報生成部４２２が生成した立寄り場所情報を送受信部４０２を介して情報提供要求した情報提供要求装置５００へ提供する。【００４６】
以上の構成を有する本実施例においては、滞在エリア履歴情報生成部４１５が履歴情報生成手段、経路種別特定部４１７が逸脱経路特定手段、立寄り場所情報提供要求受信部４２０が立寄り場所情報要求受付手段、逸脱経路関連情報検索部４２１が逸脱経路関連情報取得手段として機能する。【００４７】
［滞在エリア履歴情報生成処理］
次に、本実施例における滞在エリア履歴情報生成処理について説明する。本実施例でいう滞在エリア履歴情報生成処理とは、現在位置情報提供装置３００から取得した現在地情報８００に基づいて、現在位置情報提供装置３００が滞在していた施設及び滞在期間を特定し、滞在施設及び滞在期間を含む滞在エリア履歴情報３７５を生成する処理である。【００４８】
まず、現在位置情報提供装置３００から現在地情報８００が送信されると、現在地情報取得部４１１が現在地情報８００を取得し、当該現在地情報８００を記憶部４０４内の現在地情報ＤＢ３４０に保持する。そして、立寄り場所情報提供サーバ４００は、利用者の入力部４０３への操作等に応じて、履歴情報登録命令を検知すると、滞在情報特定部４１２は、現在地情報８００を利用者ＩＤ７１０単位にグループ化し、時刻情報７１１の順に並べた現在地情報８００を参照し、停止状態又は回遊状態を判別し、滞在情報を特定する。【００４９】
そして、滞在施設特定部４１４は、最初に、地物情報ＤＢ３５０の施設位置３５１から所定範囲内に滞在位置７２０を含む地物情報３５７を検索する。そして、滞在施設特定部４１４は、「滞在期間７３０が検索した地物情報３５７の営業時間３５３内であり、且つ滞在期間７３０に基づいて算出した滞在時間が、検索した地物情報３５７の施設滞在時間標準時間３５４と大きく異ならない」という条件（以下、滞在エリア判定条件とも呼ぶ）を満たしている場合、検索した地物情報３５７に対応する施設を滞在施設とする。なお、滞在施設特定部４１４は、上記滞在エリア判定条件を満たしていない場合、施設位置３５１の所定範囲内に滞在位置７２０を含む検索済み以外の地物情報３５７を再検索し、上記条件を満たした場合、再検索した地物情報３５７に対応する施設を滞在施設とする。【００５０】
そして、滞在エリア履歴情報生成部４１５は、滞在エリア履歴情報３７５を生成する。ここで、滞在エリア履歴情報３７５の利用者ＩＤ３７１は、現在地情報８００の利用者ＩＤ７１０とし、滞在エリア履歴情報３７５の滞在期間３７２は、滞在情報特定部４１２が特定した滞在期間７３０とし、滞在エリア履歴情報３７５の滞在場所３７３は、滞在施設特定部４１４が特定した滞在施設とする。【００５１】
このように、立寄り場所情報提供サーバ４００は、位置情報７１２及び時刻情報７１１を含む現在地情報８００を取得し、当該現在地情報８００を用いて、滞在位置７２０及び滞在時間７３０を特定している。よって、従来のように、装置が停止状態ではなくても、滞在している位置を特定することができる。従って、停止状態を検出することにより滞在地を決定するナビゲーション装置とは異なり、ＧＰＳ受信機を備えるＰＤＡ（Ｐｅｒｓｏｎａｌ  Ｄｉｇｉｔａｌ  Ａｓｓｉｓｔａｎｔｓ）を現在位置情報提供装置３００に適用した場合のように、滞在しているが位置移動が発生するという状況下でも、立寄り場所情報提供サーバ４００は、滞在位置を特定することができる。【００５２】
以下に、滞在エリア履歴情報生成処理の手順について図６に示すフローチャートを用いて説明する。この処理は、立寄り場所情報提供サーバ４００内の制御部４０１が、予め用意されたプログラムを実行することにより実現される。【００５３】
まず、現在地情報取得部４１１は、現在位置情報提供装置３００から現在地情報８００を取得する（ステップＳ１）。そして、滞在情報特定部４１２は、現在地情報取得部４１１が取得した現在地情報８００を用いて、停止状態または、回遊状態である滞在位置７２０を特定すると共に、滞在時間７３０を特定する（ステップＳ２）。そして、移動方法特定部４１３は、滞在位置間の移動方法を特定する（ステップＳ３）。【００５４】
次に、滞在施設特定部４１４は、地物情報ＤＢ３５０が保持する地物情報３５７の施設位置３５１から所定範囲内に滞在位置７２０を含む地物情報３５７を検索する（ステップＳ４）。【００５５】
そして、滞在施設特定部４１４は、検索した地物情報３５７が滞在エリア判定条件を満たす場合（ステップＳ５；Ｙｅｓ）、検索した地物情報３５７に対応する施設を滞在施設に特定し（ステップＳ９）、ステップＳ１０へ移動する。【００５６】
また、滞在施設特定部４１４は、検索した地物情報３５７が滞在エリア判定条件を満たさない場合（ステップＳ５；Ｎｏ）、最初に検索した地物情報３５７以外で、地物情報３５７の施設位置から所定範囲内に滞在位置７２０を含む地物情報３５７を検索し（ステップＳ６）、検索した地物情報３５７が上記滞在エリア判定条件に合致するか否かを判定し、上記滞在エリア判定条件に合致する場合（ステップＳ７；Ｙｅｓ）、再検索した地物情報３５７に対応する施設を滞在施設に特定し（ステップＳ８）、ステップＳ１０へ移り、滞在エリア判定条件に合致しない場合（ステップＳ７；Ｎｏ）、滞在エリア履歴情報生成処理を終了する。【００５７】
ステップＳ１０において、滞在エリア履歴情報生成部４１５は、滞在施設特定部４１４が特定した滞在施設の名称や滞在期間７３０を含む滞在エリア履歴情報３７５を生成し（ステップＳ１０）、滞在エリア履歴情報生成処理を終了する。【００５８】
［逸脱経路関連情報登録方法］
次に、本実施例における逸脱経路情報登録方法について説明する。本実施例でいう逸脱経路情報登録方法とは、滞在エリア履歴情報３７５から経路情報３７７を生成し、生成した経路情報３７７から逸脱経路を特定し、当該逸脱経路に関する情報である逸脱経路関連情報３９０を生成し、当該逸脱経路関連情報３９０を逸脱経路情報ＤＢ３８０へ登録する方法をいう。【００５９】
まず、経路情報３７７について説明する。図７に、複数の経路情報３７７の概念図を示す。図７に示すように、経路情報３７７とは、所定の出発位置から複数の場所を経由して、上記出発位置へ戻ってくるまでの経路の情報である。【００６０】
例えば、経路情報３７７Ａは、「場所Ａ、場所Ｂ、場所Ｃ、場所Ｄ、場所Ｃ、場所Ｂ、場所Ａ」という順に滞在していたことを示し、経路情報３７７Ｂは、「場所Ａ、場所Ｂ、場所Ｅ、場所Ｂ、場所Ａ」という順に滞在していたことを示し、経路情報３７７Ｃは、「場所Ａ、場所Ｂ、場所Ｃ、場所Ｄ、場所Ｃ、場所Ｆ、場所Ｃ、場所Ｂ、場所Ａ」という順に滞在していたことを示す。立寄り場所情報提供サーバ４００は、滞在エリア履歴情報３７５を、利用者ＩＤ毎に、滞在期間順に並べて、経路情報３７７を特定する。その後に、立寄り場所情報提供サーバ４００は、滞在経路情報３７７Ａ〜経路情報３７７Ｃが定常経路であるか否かを判別し、定常経路でない経路である逸脱経路を特定する。例えば、経路情報３７７Ａが定常経路であり、経路情報３７７Ｂ及び経路情報３７７Ｃが定常経路ではない場合、経路情報３７７Ｂの内、定常経路の経路情報３７７Ａに含まれていない経路である、「場所Ｂ、場所Ｅ、場所Ｂ」という経路を逸脱経路３７８Ａとして特定する。【００６１】
そして、立寄り場所情報提供サーバ４００は、逸脱経路３７８に関する情報である逸脱経路関連情報３９０を生成し、当該逸脱経路情報ＤＢ３８０へ登録する。【００６２】
このように、立寄り場所情報提供サーバ４００は、経路を特定するだけでなく、当該経路の種別を判別することができる。【００６３】
以下に、「経路情報を生成する方法」及び「経路情報から逸脱経路関連情報を登録する方法」について、具体的な処理方法を記載する。【００６４】
まず、経路情報３７７を生成する方法について説明する。最初に、経路情報生成部４１６は、滞在エリア履歴情報生成部４１５が生成した滞在エリア履歴情報３７５を、利用者ＩＤ３７１毎に、滞在期間順に並べる。図８（ａ）に、経路情報生成部４１６が滞在エリア履歴情報３７５を並び替えた例を示す。【００６５】
そして、経路情報生成部４１６は、並び替えた滞在エリア履歴情報３７５を参照し、経路情報３７７を生成する。具体的には、同一利用者ＩＤ３７１の滞在エリア履歴情報３７５について、出発位置からある場所を経由して、上記出発位置へ戻ってくるまでの経路に関する、滞在場所及び滞在期間を含む経路情報３７７を生成する。【００６６】
例えば、経路情報生成部４１６が、図８（ａ）のように滞在エリア履歴情報３７５を並べ替えた場合、経路情報生成部４１６は、滞在エリア履歴情報３７５Ａ〜滞在エリア履歴情報３７５Ｇを参照すると、利用者ＩＤ３７１が「Ａ００１」である現在位置情報提供装置３００が場所Ａを出発し、場所Ｂ、場所Ｃ、場所Ｄ、場所Ｃ、場所Ｂ、場所Ａという順で滞在したと判断する。そして、経路情報生成部４１６は、上記滞在エリア履歴情報３７５Ａから滞在エリア履歴情報３７５Ｇまでの滞在場所３７３及び滞在期間３７２を抽出した経路情報３７７を生成する。【００６７】
このように、経路情報生成部４１６は、滞在エリア履歴情報生成部４１５が生成した滞在エリア履歴情報３７５から経路情報３７７を生成する。【００６８】
次に、経路情報３７７から逸脱経路関連情報３９０を登録する方法について説明する。まず、経路種別判別部４１７は、経路情報生成部４１６が特定した経路情報３７７を参照し、各経路が定常経路に該当するか否かを判別する。ここで、定常経路とは、いわゆる通勤・通学経路等、普段よく使用する経路を意味する。経路種別判別部４１７は、同一利用者ＩＤで、同一経路を通過する経路情報３７７が所定数（例えば、１０）以上ある場合に、当該経路を定常経路とする。【００６９】
例えば、図７の経路情報３７７Ａ〜経路情報３７７Ｃの内、経路情報３７７Ａと同一経路の経路情報３７７が所定数以上存在する場合、経路種別判別部４１７は、経路情報３７７Ａを定常経路であると判別する。【００７０】
そして、経路種別判別部４１７は、逸脱経路を特定する。具体的に、経路種別判別部４１７は、定常経路でない経路情報３７７の内、定常経路と同一ではない部分を、逸脱経路とする。【００７１】
例えば、経路情報３７７Ａの経路が定常経路で、経路情報３７７Ｂの経路が定常経路ではない場合、経路種別判別部４１７は、経路情報３７７Ｂの内、経路情報３７７Ａに含まれていない経路である「場所Ｂ→場所Ｅ→場所Ｂ」を逸脱経路３７８Ａとする。なお、経路種別判別部４１７は、逸脱経路の経路中、逸脱経路の最初の場所を起点場所とし（逸脱経路３７８Ａでは、場所Ｂが該当）、逸脱経路における折り返しの滞在場所を目的場所とする（逸脱経路３７８Ａでは、場所Ｅが該当）。【００７２】
そして、逸脱経路関連情報登録部４１９は、経路種別判別部４１７が特定した逸脱経路に関する情報である逸脱経路関連情報３９０を生成する。【００７３】
具体的に、逸脱経路関連情報登録部４１９は、逸脱経路関連情報３９０の利用者ＩＤ３８１を、逸脱経路に関する滞在履歴情報３７５の利用者ＩＤ３７１とし、逸脱経路関連情報３９０の日時３８２を、上記起点場所における滞在期間の日時とし、逸脱経路関連情報３９０の曜日３８３を、上記起点場所における滞在期間の曜日とし、逸脱経路関連情報３９０の天気３８４を、上記滞在期間の日時に対応する天気について天気情報取得部４１８が取得した天気情報とし、逸脱経路関連情報３９０の起点場所３８５を、経路種別判別部４１７が特定した起点場所とし、逸脱経路関連情報３９０のカテゴリ３８６を、上記目的場所に対応するカテゴリとし（目的場所に合致するカテゴリについて、地物情報ＤＢ３５０を検索して取得）、逸脱経路関連情報３９０の移動方法３８７を、逸脱経路内における、移動方法特定部４１３が特定した移動方法とし、逸脱経路関連情報３９０の距離３８８を、起点場所から目的場所までの距離とし、逸脱経路関連情報３９０の目的場所３８９を、経路種別判別部４１７が特定した目的場所とした、逸脱経路関連情報３９０を生成する。【００７４】
そして、逸脱経路関連情報登録部４１９は、上記逸脱経路関連情報３９０を逸脱経路関連情報ＤＢ３８０へ登録する。【００７５】
このように、立寄り場所情報提供サーバ４００は、滞在エリア履歴情報３７５を用いて、現在位置情報提供装置３００が通過した経路を特定し、さらに、当該経路について、定常経路か否かを判別し、定常経路とは異なる経路である逸脱経路に関する情報（逸脱経路関連情報３９０）を生成し、当該逸脱経路関連情報３９０を逸脱経路関連情報ＤＢ３８０へ登録する。【００７６】
以下に、逸脱経路関連情報登録処理の手順について図９に示すフローチャートを用いて説明する。この処理は、立寄り場所情報提供サーバ４００内の制御部４０１が、予め用意されたプログラムを実行することにより実現される。【００７７】
まず、経路情報生成部４１６は、滞在エリア履歴情報生成部４１５が生成した滞在エリア履歴情報３７５について利用者ＩＤ３７１毎に、滞在期間順に並べる（ステップＳ１１）。そして、経路情報生成部４１６は、並び替えた滞在エリア履歴情報３７５を参照し、経路情報３７７を生成する（ステップＳ１２）。そして、経路種別判別部４１７は、定常経路を特定した後に（ステップＳ１３）、逸脱経路を特定する（ステップＳ１４）。そして、逸脱経路関連情報登録部４１９は、逸脱経路関連情報３９０を生成し、当該逸脱経路関連情報３９０を逸脱経路関連情報３８０ＤＢへ登録し（ステップＳ１５）、逸脱経路関連情報登録処理を終了する。【００７８】
[立寄り場所情報提供処理]
次に、立寄り場所情報提供処理について説明する。本実施例における立寄り場所情報提供処理とは、情報提供要求装置５００から位置情報及び利用者ＩＤを取得すると共に、立寄り情報提供要求を受信した後に、上記位置情報に関連する、立寄り場所情報７５４を提供する処理である。【００７９】
まず、立寄り場所情報提供要求受信部４２０が、情報提供要求装置５００から位置情報、及び情報提供要求装置５００に対応する利用者ＩＤを取得すると、逸脱経路関連情報検索部４２１は、当該位置情報に対応する場所情報を起点場所３８５として含み、上記利用者ＩＤと同一でない、逸脱経路関連情報３９０を検索する。【００８０】
例えば、図１０に示す、逸脱経路関連情報３９０の一覧がある場合、立寄り場所情報提供要求受信部４２０が、情報提供要求装置５００から取得した利用者ＩＤ「Ａ００１」、及び起点場所「場所Ｅ」に関する位置情報を取得すると、逸脱経路関連情報検索部４２１は、利用者ＩＤが「Ａ００１」ではなく、起点場所が「場所Ｅ」である、逸脱経路関連情報３９０について検索する。【００８１】
そうすると、逸脱経路関連情報検索部４２１は、逸脱経路関連情報３９０Ｄを取得する。よって、逸脱経路関連情報検索部４２１は、起点場所が「場所Ｅ」であり、利用者ＩＤが「Ａ００１」である逸脱経路関連情報３９０Ｃを検索対象から除外する。【００８２】
従って、立寄り場所情報提供サーバ４００は、報提供要求装置５００が既に行ったことがある場所について、お勧めの立寄り場所として提供してしまうことを回避することができる。【００８３】
そして、立寄り場所情報生成部４２２は、上記逸脱経路関連情報検索部４２１が検索した逸脱経路関連情報３９０に基づいて、立寄り場所情報を生成する。ここで、立寄り場所情報７５４とは、逸脱経路関連情報３９０の目的場所に関する情報を意味し、例えば、目的場所の名称や、目的場所周辺の地図背景等である。【００８４】
そして、立寄り場所情報提供部４２３は、立寄り場所情報生成部４２２が生成した立寄り場所情報を送受信部４０２を介して、情報提供要求装置５００へ提供する。【００８５】
以下に、立寄り場所情報提供処理の手順について図１１に示すフローチャートを用いて説明する。この処理は、立寄り場所情報提供サーバ４００内の制御部４０１が、予め用意されたプログラムを実行することにより実現される。【００８６】
まず、立寄り場所情報提供要求受信部４２０は、情報提供要求装置５００から位置情報、及び情報提供要求装置５００に対応する利用者ＩＤを取得すると共に、立寄り場所情報７５４の提供要求を受信する（ステップＳ２１）。【００８７】
そして、逸脱経路関連情報検索部４２１は、立寄り場所情報提供要求受信部４２０が取得した利用者ＩＤ、及び位置情報に対応する起点場所に関する検索条件に合致する逸脱経路関連情報３９０を検索する（ステップＳ２２）。【００８８】
そして、立寄り場所情報生成部４２２は、逸脱経路関連情報検索部４２１が検索した逸脱経路関連情報３９０の目的場所３８９に関する情報である立寄り場所情報７５４を生成する（ステップＳ２３）。そして、立寄り場所情報提供部４２３は、上記立寄り場所情報７５４を情報提供要求装置５００へ送信し（ステップＳ２４）、立寄り場所情報提供処理を終了する。【００８９】
以上述べたように、立寄り場所情報提供サーバ４００は、同一利用者の経路情報の内、所定の経路通過条件に応じて定義された逸脱経路に関する情報であり、起点場所情報及び目的場所情報を含む逸脱経路関連情報を保持する逸脱経路関連情報保持手段と、所定の要求元装置から要求元場所情報を取得すると共に、立寄り場所情報要求を受け付ける立寄り場所情報要求受付手段と、要求元場所情報に合致する起点場所情報を有する逸脱経路関連情報を取得する逸脱経路関連情報取得手段と、逸脱経路関連情報取得手段が取得した逸脱経路関連情報を用いて立寄り場所情報を生成する立寄り場所情報生成手段と、立寄り場所情報を提供する立寄り場所情報提供手段と、を備える。【００９０】
これによれば、立寄り場所情報提供サーバ４００は、情報提供要求装置５００から取得した位置情報７１２に対応する場所情報に合致する起点場所３８５を有する逸脱経路関連情報３９０に基づいて、立寄り場所情報を生成している。即ち、立寄り場所情報提供装置４００は、経路情報の履歴に基づいて、立寄り場所情報を生成することになる。従って、立寄り場所情報提供サーバ４００は、位置情報検索に基づいて生成した立寄り場所情報を提供する場合に比して、有用な立寄り場所情報を提供することができる。【００９１】
例えば、図１２に示すように、情報提供要求装置５００が施設６００に位置している際に、立寄り場所情報提供サーバ４００が、仮に現在位置施設６００の周辺位置の施設を位置情報検索すると、周囲円５９０に基づいて川５８０の反対側に位置する施設６０１Ａや、駅の反対側に位置する施設６０１Ｂに関する情報を立寄り場所情報７５４として、情報提供要求装置５００へ提供することになる。上記の施設６０１Ａや施設６０１Ｂは、川や駅の反対側であるため、現在位置施設６００に近いが不便であると考えられる。【００９２】
一方、立寄り場所情報提供サーバ４００が、逸脱経路関連情報３９０に基づいて、立寄り場所情報を生成する場合、現在位置施設６００を起点場所とし、施設６０１Ａや施設６０１Ｂを目的場所としている逸脱経路関連情報３９０が無ければ、施設６０１Ａや施設６０１Ｂについては、立寄り場所情報には含めないが、多少距離が離れている施設６０１Ｃを目的場所としている逸脱経路関連情報３９０があれば、施設６０１Ｃに関する情報を立寄り場所情報７５４として、情報提供要求装置５００へ提供する。【００９３】
このように、立寄り場所情報提供サーバ４００は、利用者の履歴情報に基づいて、立寄り場所情報７５４を生成し、当該立寄り場所情報７５４を要求元の装置である情報提供要求装置５００へ提供するので、不要な情報（例えば、交通不便な場所情報）を提供してしまうことを回避し、有用な情報（多少遠くても、利用する価値のある場所の情報）を提供することができる。【００９４】
また、立寄り場所情報提供サーバ４００は、定常経路の情報ではなく、逸脱経路関連情報３９０に基づいて、立寄り場所情報７５４を提供しているので、立寄る場所が固定されていない、情報提供要求装置５００の利用者へ提案することが可能となる。従って、施設側の観点では、早急に顧客獲得につなげることができ、情報提供要求装置５００の利用者の観点では、たまに行く場所に関連する場所について、立寄り場所情報７５４を取得するので、経路が固定されている個所について、提案される場合に比して煩わしさがない。【００９５】
なお、立寄り場所情報提供サーバ４００は、現在位置情報提供装置５００から現在地情報８００を取得し、当該現在地情報８００を用いて、滞在履歴情報３７５を生成し、当該滞在履歴情報３７５を用いて、経路の特定や逸脱経路関連情報３９０を生成している。【００９６】
従って、立寄り場所情報提供サーバ４００は、自動で逸脱経路関連情報３９０を生成し、当該逸脱経路関連情報３９０を用いて立寄り場所情報７５４を生成することができる。【００９７】
［他の実施例］
上述の実施例では、滞在情報特定部４１２が施設を特定する場合について述べたが、本発明は、これに限られず、滞在位置７２０を含む所定エリアを滞在エリアとしても良い。【００９８】
上述の実施例では、滞在施設特定部４１４は、滞在期間７３０が、滞在位置７２０に対応する地物情報３５７に関する滞在エリア判定条件に合致するか否か判定する場合について述べたが、本発明は、これに限られず、上記判定を行わないようにしても良い。【００９９】
上述の実施例では、地物情報ＤＢ３５０において、施設滞在標準時間３５４は、１つのみ保持する場合について述べたが、本発明は、これに限られず、施設滞在標準時間３５４を複数保持するようにしても良い。例えば、施設の利用形態が複数ある場合、各利用形態に応じた施設滞在標準時間を定義しておけば、立寄り場所情報提供サーバ４００は、現在位置情報提供装置３００が滞在した期間を参照することにより、当該施設を利用した目的を特定することができる。【０１００】
上述の実施例では、施設情報特定部４１２が、現在地情報８００の位置情報７１２が所定期間継続して、所定の位置にある場合や所定の範囲内にある場合について、停止状態や回遊状態であると判定する場合について述べたが、本発明は、これに限られず、所定期間内に、同一の位置情報７１２が所定数ある場合に、当該位置で停止状態又は回遊状態であると判定するようにしても良い。【０１０１】
上述の実施例では、現在位置情報提供装置３００から取得した現在地情報８００に基づいて滞在位置を特定し、滞在エリア履歴情報３７５を生成する場合について述べたが、本発明はこれに限られず、ブログ情報等から滞在位置を特定し、滞在エリア履歴情報３７５を生成するようにしても良いし、入力部４０３を介して、滞在エリア履歴情報３７５を入力するようにしても良い。【０１０２】
上述の実施例では、立寄り場所情報提供要求受信部４２０が、情報提供要求装置５００から利用者ＩＤ７１０及び位置情報７１２を取得する場合について述べたが、本発明はこれに限られず、立寄り場所情報提供要求受信部４２０が、更に時刻情報７１１を取得し、天気情報取得部４１８が、位置情報７１２の場所における、時刻情報７１１の日時の天気情報を取得し、逸脱経路関連情報検索部４２１が当該天気情報に合致しない逸脱経路関連情報３９０を検索対象外としても良い。【０１０３】
この場合、立寄り場所情報提供装置４００は、天気情報を保持しているので、要求元装置が立寄り場所情報の要求をした時点の天気に合致しない立寄り場所情報を提供対象から排除することができる。従って、立寄り場所情報提供装置４００は、要求元の装置に対して不要な情報を提供する可能性を軽減することができる。【０１０４】
上述の実施例では、現在位置情報提供装置３００を携帯電話装置に適用する場合について述べたが、本発明は、これに限られず、ＧＰＳ機能を有する各種装置に適用するようにしても良い。例えば、ナビゲーション装置等がある。【０１０５】
上述の実施例では、経路情報３７７を、所定の出発位置から、当該出発位置へ戻ってくるまでの経路情報とする場合について述べたが、本発明は、これに限られず、所定の出発位置から当該出発位置以外の位置までの経路情報をイベント経路情報３７７としても良い。例えば、自宅（出発地）から出発し、その後、実家に帰り、ひと月ぐらい滞在するような場合には、実家が終点になる。【０１０６】
上述の実施例では、立寄り場所情報提供装置４００は、立寄り場所情報７５４の提供方法について、情報提供要求装置５００から、立寄り場所情報提供要求を受信してから立寄り場所情報７５４を提供する場合について述べたが、本発明は、これに限られず、立寄り場所情報提供装置４００が、情報提供要求装置５００に対して、位置情報や利用者ＩＤの提供要求をし、取得した位置情報や利用者ＩＤを用いて、立寄り場所情報７５４を生成し、種々のタイミングで提供するようにしても良い。【０１０７】
上述の実施例では、特に述べていなかったが、立寄り場所情報提供装置４００が、逸脱経路統計情報ＤＢ３９５内の、統計情報を用いて、立寄り場所情報７５４を提供する優先順位を決定するようにしても良い。【０１０８】
上述の実施例では、立寄り場所情報提供装置４００は、逸脱経路関連情報３９０の目的場所に関する情報を立寄り場所情報として提供する場合について述べたが、本発明は、これに限られず、上記目的場所周辺の施設について検索した結果も立寄り場所情報に含めるようにしても良い。【０１０９】
上述の実施例では、立寄り場所情報提供装置４００は、逸脱経路関連情報３９０の目的場所に関する情報を立寄り場所情報として提供する場合について述べたが、本発明は、これに限られず、地物情報３５７のレコメンド条件情報３５６の内容に合致する施設に関する情報を立寄り場所情報として提供するようにしても良い。【０１１０】
この場合、立寄り場所情報提供装置４００は、該当する逸脱経路関連情報３９０が存在しなくても、立寄り場所情報を提供することができる。【０１１１】
上述の実施例では、立寄り場所情報提供装置４００は、情報提供要求装置５００から利用者ＩＤ及び位置情報を取得して、当該利用者ＩＤや位置情報に基づいて、逸脱経路関連情報３９０を検索する場合について述べたが、本発明は、これに限られず、位置情報に基づいてのみ逸脱経路関連情報３９０を検索するようにしても良い。この場合、利用者ＩＤを有していない情報提供要求装置５００から立寄り場所情報提供要求がなされた場合でも、立寄り場所情報７５４を提供することができる。【０１１２】
上述の実施例では、立寄り場所情報提供装置４００が提供する立寄り場所情報７５４について、カテゴリを特定する場合について、述べていなかったが、情報提供要求装置５００から取得した利用者ＩＤ、位置情報に基づいて、情報提供要求装置５００が当該位置情報に対応する起点場所から、過去に滞在した目的場所を特定し、当該目的場所のカテゴリに絞り込んで立寄り場所情報７５４を提供するようにしても良い。
【産業上の利用可能性】
【０１１３】
本発明は、所定の目的地に関連する立ち寄り場所情報を提供する装置に利用することができる。
【図１】
2009060538.tif 000003
【図２】
2009060538.tif 000004
【図３】
2009060538.tif 000005
【図４】
2009060538.tif 000006
【図５】
2009060538.tif 000007
【図６】
2009060538.tif 000008
【図７】
2009060538.tif 000009
【図８】
2009060538.tif 000010
【図９】
2009060538.tif 000011
【図１０】
2009060538.tif 000012
【図１１】
2009060538.tif 000013
【図１２】
2009060538.tif 000014
【国際調査報告】
2009060538.tif 000015
2009060538.tif 000016